(57)【特許請求の範囲】
【請求項１】
監視対象エリアを監視する監視カメラと、
この監視カメラから出力される映像信号に基づいて上記監視対象エリア内の明るさに対応する第１の検出信号を生成して出力する第１の検出部と、
上記監視カメラから離れた位置に設けられ、上記監視対象エリア内の明るさを検出し、この検出して得た明るさに対応する第２の検出信号を生成して出力する第２の検出部と、
上記第１の検出信号と上記第２の検出信号とが入力され、これら各検出信号に基づいて上記監視カメラの異常の有無を判断する判断部と、
を具備する監視カメラシステム。
【請求項２】
上記判断部が、上記第１の検出信号に対応する明るさレベルと予め定めた第１の基準レベルとを比較すると共に、上記第２の検出信号に対応する明るさレベルと予め定めた第２の基準レベルとを比較して、少なくとも、上記第１の検出信号に対応する明るさレベルが上記第１の基準レベルよりも低く、かつ、上記第２の検出信号に対応する明るさレベルが上記第２の基準レベル以上であるときに、上記監視カメラに異常が生じているものと判断する請求項１に記載の監視カメラシステム。
【請求項３】
上記判断部が、上記第１の検出信号に対応する明るさレベルと上記第２の検出信号に対応する明るさレベルとを比較して、上記第１の検出信号に対応する明るさレベルが上記第２の検出信号に対応する明るさレベルよりも低いときに、上記監視カメラに異常が生じているものと判断する請求項１に記載の監視カメラシステム。
【請求項４】
上記判断部が、上記第１の検出信号に対応する明るさレベルに所定のレベルを足して得た合成レベルと、上記第２の検出信号に対応する明るさレベルと、を比較して、上記合成レベルが上記第２の検出信号に対応する明るさレベルよりも低いときに、上記監視カメラに異常が生じているものと判断する請求項１に記載の監視カメラシステム。
【請求項５】
上記判断部が、上記第１の検出信号に対応する明るさレベルと上記第２の検出信号に対応する明るさレベルとを比較してこれら両レベルの差を求め、その差の絶対値が所定の値以上のときに、上記監視カメラに異常が生じているものと判断する請求項１に記載の監視カメラシステム。
【請求項６】
監視対象エリアを監視する監視カメラと、
この監視カメラから出力される映像信号に基づいて上記監視対象エリア内の明るさに対応する第１の検出信号を生成して出力する第１の検出部と、
上記監視カメラのレンズ部分から離れた位置に設けられ、上記監視対象エリア内の明るさを検出し、この検出して得た明るさに対応する第２の検出信号を生成して出力する第２の検出部と、
上記第１の検出信号と上記第２の検出信号とが入力され、これら各検出信号に基づいて上記監視カメラの異常の有無を判断する判断部と、
を具備し、
上記判断部が、上記第１の検出信号に対応する明るさレベルと上記第２の検出信号に対応する明るさレベルとを比較してこれら両レベルの差を求めると共に、第２の検出信号に対応する明るさレベルと予め定めた第３の基準レベルとを比較して、上記両レベルの差の絶対値が所定の値以上であり、かつ、上記第２の検出信号に対応する明るさレベルが上記第３の基準レベル以上であるときに、上記監視カメラに異常が生じているものと判断する、監視カメラシステム。
【発明の詳細な説明】
【０００１】
【発明の属する技術分野】
本発明は、監視用のカメラを備えた監視カメラシステムに関する。
【０００２】
【従来の技術】
上記監視カメラシステムは、例えば銀行やコンビニエンス・ストア等において、窃盗や強盗等の犯罪行為等を監視する手段として広く使用されている。しかし、近年では、犯罪者が、監視カメラのレンズ部分、詳しくはレンズの前面部分を、布や不透明なテープ等で覆うことによって、監視カメラの映像入力を断ち、その上で犯行に及ぶケースが増えている。
【０００３】
このような巧妙な手口に対して、迅速に対応する必要があるが、従来の、例えばモニタ映像を監視するだけのシステムにおいては、監視者側が常にモニタ映像を注視しているとは限らず、監視カメラの異常に気付くのが遅れてしまうことがしばしばあった。また、監視カメラで捉えた映像をビデオテープレコーダ等による随時録画するシステムもあるが、このシステムでも、録画動作とは別に、常時、モニタ映像を注視していなければ、上記のような監視カメラの異常に即座に気付くことはできない。
【０００４】
更に、監視カメラで捉えた映像の変化を基に犯罪者等の有無を自動的に検知するという所謂モーション・デテクタ技術を利用したシステムも知られている。しかし、このシステムによれば、例えば監視対象エリア内の照明をＯＦＦすることによって監視映像（明るさ）が暗くなったときに、これを監視カメラの前面が覆われたものと誤認識することがある。よって、このシステムでは、監視カメラの前面が覆われたことを自動的に検知するのは難しい。
【０００５】
【発明が解決しようとする課題】
即ち、本発明が解決しようとする問題点は、上記各従来技術によれば、犯罪者等によって監視カメラの前面が覆われるという異常事態に対して、迅速な対応を取ることができないという点である。これでは、監視カメラシステムとしての機能を果たせず、犯罪者の犯罪行為を見逃し兼ねない。
【０００６】
そこで、本発明は、上記のように監視カメラの前面が覆われるという巧妙な犯行手口に対し迅速に対応できる監視カメラシステムを提供することを目的とする。また、このようなシステムを、比較的に簡単かつ安価な構成で実現できるようにすることも、本発明の目的とするところである。
【０００７】
【課題を解決するための手段】
上記目的を達成するために、本発明のうちで請求項１に記載の発明は、監視対象エリアを監視する監視カメラと、
この監視カメラから出力される映像信号に基づいて上記監視対象エリア内の視覚的な明るさに対応する第１の検出信号を生成して出力する第１の検出部と、
上記監視カメラから離れた位置に設けられ、上記監視対象エリア内の視覚的な明るさを検出し、この検出して得た明るさに対応する第２の検出信号を生成して出力する第２の検出部と、
上記第１の検出信号と上記第２の検出信号とが入力され、これら各検出信号に基づいて上記監視カメラの異常の有無を判断する判断部と、
を具備するものである。
【０００８】
なお、ここで言う上記第１の検出部とは、例えば、監視カメラから得られる映像信号の平均的な電圧レベル（所謂輝度レベル）を捉え、そのレベルに応じた、例えば略比例する電圧の直流信号を上記第１の検出信号として生成し出力するもので、比較的に簡単かつ安価な電気回路で構成できる。一方、第２の検出部とは、例えば一般に知られているホト・ダイオードやホト・トランジスタ等の光−電気変換素子を備え、この素子により変換して得た電気信号に応じた、例えばそのレベルに略比例する電圧の直流信号を上記第２の検出信号として生成し出力するもので、比較的に簡単かつ安価な電気回路で構成できる。
【０００９】
本請求項１に記載の発明によれば、監視カメラは、監視対象エリアを監視するというそれ本来の機能を果たすと同時に、第１の検出部との組み合わせにより、監視対象エリア内の明るさを検出するという所謂明るさ検出手段としても機能する。そして、これとは別に、監視対象エリアの明るさをそれ専用に検出するための第２の検出部を、監視カメラから離れた位置に設けている。これら各検出部がそれぞれ出力する第１及び第２の各検出信号は、共に、判断部に入力される。
【００１０】
例えば、今、監視対象エリア内が比較的に明るく、かつ、監視カメラ（詳しくはレンズの前面部分）及び第２の検出部（詳しくは上記光−電気変換素子等の光検出部分）が布等で覆われていない所謂正常な状態にあるとする。この場合、第１及び第２の各検出信号の各電圧レベルは、共に、ある程度のレベルとなる。この状態で、例えば監視カメラが布等で覆われたとする。すると、第１の検出信号の電圧レベルが、極端に減少する。一方、第２の検出部が布等で覆われた場合には、第２の検出信号の電圧レベルが、極端に減少する。そして、監視対象エリア内の照明をＯＦＦする等により、監視対象エリア内を暗くした場合には、監視カメラ及び第２の検出部が布等で覆われているか否か等にさほど関係なく、第１及び第２の各検出信号の各電圧レベルは、共に、減少する。
【００１１】
従って、判断部は、これに入力される第１及び第２の各検出信号の各電圧レベルから、監視対象エリア内が明るいか暗いか、及び監視カメラが布等で覆われていないか等を、判断できる。なお、監視カメラと第２の検出部とは、それぞれ離れた位置に設けられるので、これら両者が同時に覆われて、これを監視対象エリア内の照明がＯＦＦされたものと誤認識する可能性は少ない。また、例えば監視カメラの出力ケーブルを切断した場合にも、監視カメラを布等で覆った場合と略同様の状況となるので、このような犯行手口にも十分に対応できる。
【００１２】
更に、監視カメラを布等で覆うのではなく、これとは反対に、例えば監視カメラに強烈な光を照射することにより、その監視機能を阻害しようとする犯行手口等も考えられる。この場合、第１の検出信号の電圧レベルが極端に増大する。勿論、第２の検出部に強烈な光が照射された場合にも、同様に、第２の検出信号の電圧レベルが増大する。従って、このような光の照射を利用する犯行手口にも、十分に対応できる。
【００１３】
なお、判断部は、監視カメラが布等で覆われるか、若しくは監視カメラに対して強烈な光が照射されたものと判断した場合には、その旨を表す警告信号を生成して出力するよう構成できる。このような判断部は、例えば純粋なハードウェア構成のみの電気回路によって実現できる。また、第１及び第２の各検出信号を例えばディジタル変換し、このディジタル化して得たデータをＣＰＵ（中央演算処理装置）等によりソフトウェア的に処理することによっても、上記判断部を実現できる。基本的に、判断部は、上記各検出信号の各電圧レベルを比較対照して、その結果に応じて上記警告信号を生成して出力するだけのものなので、比較的に簡単かつ安価な構成で実現できる。
【００１４】
請求項２に記載の発明は、請求項１に記載の発明の監視カメラシステムにおいて、上記判断部が、上記第１の検出信号の電圧レベルと予め定めた第１の基準レベルとを比較すると共に、上記第２の検出信号の電圧レベルと予め定めた第２の基準レベルとを比較して、少なくとも、上記第１の検出信号の電圧レベルが上記第１の基準レベルよりも低く、かつ、上記第２の検出信号の電圧レベルが上記第２の基準レベル以上であるときに、監視カメラに異常が生じていると判断するものである。
【００１５】
なお、ここで言う上記第１の基準レベルとは、例えば、第１の検出信号の電圧レベルを基に、監視対象エリア内の照明のＯＮ／ＯＦＦ状態を判断する際の基準となる電圧レベルのことを言う。即ち、監視カメラを布等で覆わない状態で、監視対象エリア内の照明をＯＮしたときとＯＦＦしたときとの各第１の検出信号の各電圧レベルの略中間を、上記第１の基準レベルとして設定すればよい。一方、上記第２の基準レベルとは、例えば、第２の検出信号の電圧レベルを基に、監視対象エリア内の照明のＯＮ／ＯＦＦ状態を判断する際の基準となる電圧レベルのことを言う。即ち、第２の検出部を布等で覆わない状態で、監視対象エリア内の照明をＯＮしたときとＯＦＦしたときとの各第２の検出信号の各電圧レベルの略中間を、上記第２の基準レベルとして設定すればよい。
【００１６】
即ち、本請求項２に記載の発明は、請求項１に記載の発明の監視カメラシステムにおける判断部の構成を具体化したものである。具体的には、第２の検出信号の電圧レベルが第２の基準レベル以上である、即ち監視対象エリア内の照明がＯＮされている、にも係わらず、第１の検出信号の電圧レベルが第１の基準レベルよりも低い、即ち監視カメラの映像入力が暗いときは、監視カメラが布等で覆われているものと判断する。
【００１７】
請求項３に記載の発明は、請求項１に記載の発明の監視カメラシステムにおいて、上記判断部が、上記第１の検出信号の電圧レベルと上記第２の検出信号の電圧レベルとを比較して、上記第１の検出信号の電圧レベルが上記第２の検出信号の電圧レベルよりも低いときに、上記監視カメラに異常が生じていると判断するものである。なお、監視カメラ及び第２の検出部が、共に、布等で覆われていない所謂正常な状態にあるとき、第１及び第２の各検出信号の各電圧レベルは、略同等のレベルであるとする。
【００１８】
本請求項３に記載の発明も、請求項１に記載の発明の監視カメラシステムにおける判断部の構成を具体化したものである。即ち、監視カメラ及び第２の検出部が共に正常なとき、第１及び第２の各検出信号の各電圧レベルは、略同等でなければならない。これに対して、少なくとも、第１の検出信号の電圧レベルが、第２の検出信号の電圧レベルよりも低いときは、監視カメラが布等で覆われているものと判断する。
【００１９】
請求項４に記載の発明は、請求項１に記載の発明の監視カメラシステムにおいて、上記判断部が、上記第１の検出信号の電圧レベルに所定の電圧レベルを足して得た合成電圧レベルと、上記第２の検出信号の電圧レベルと、を比較して、上記合成電圧レベルが上記第２の検出信号の電圧レベルよりも低いときに、上記監視カメラに異常が生じていると判断するものである。
【００２０】
即ち、本請求項４に記載の発明も、上記請求項３に記載の発明の監視カメラシステムと同様に、第１及び第２の各検出信号の各電圧レベルを比較するものである。ただし、本請求項４に記載の発明では、上記各電圧レベルを比較する際、第１の検出信号に上記所定の電圧レベルという有余（マージン）レベルを足して、この足して得た合成電圧レベルと第２の検出信号の電圧レベルとを比較する。このようにすれば、監視カメラが正常である（即ち布等で覆われていない）と見なすことのできる範囲を緩和できる。
【００２１】
請求項５に記載の発明は、請求項１に記載の発明の監視カメラシステムにおいて、上記判断部が、上記第１の検出信号の電圧レベルと上記第２の検出信号の電圧レベルとを比較してこれら両電圧レベルの差を求め、その差の絶対値が所定の値以上のときに、上記監視カメラに異常が生じていると判断するものである。
【００２２】
本請求項５に記載の発明も、請求項１に記載の発明の監視カメラシステムにおける判断部の構成を具体化したものである。即ち、監視カメラ及び第２の検出部が共に正常なとき、第１及び第２の各検出信号の各電圧レベルは、略同等でなければならない。これに対して、各電圧レベルに差異が生じ、その差異の絶対値が所定の値以上、例えば誤差範囲内であると見なすことのできる範囲を越えた場合には、監視カメラ及び第２の検出部のうちのどちらか一方が布等で覆われるか、若しくは強烈な光が照射されているものと判断することができる。
【００２３】
請求項６に記載の発明は、監視対象エリアを監視する監視カメラと、この監視カメラから出力される映像信号に基づいて上記監視対象エリア内の明るさに対応する第１の検出信号を生成して出力する第１の検出部と、監視カメラのレンズ部分から離れた位置に設けられ、上記監視対象エリア内の明るさを検出し、この検出して得た明るさに対応する第２の検出信号を生成して出力する第２の検出部と、第１の検出信号と第２の検出信号とが入力され、これら各検出信号に基づいて上記監視カメラの異常の有無を判断する判断部と、を具備する。そして、判断部が、上記第１の検出信号の電圧レベルと上記第２の検出信号の電圧レベルとを比較してこれら両電圧レベルの差を求めると共に、第２の検出信号の電圧レベルと予め定めた第３の基準レベルとを比較して、上記両電圧レベルの差の絶対値が所定の値以上であり、かつ、上記第２の検出信号の電圧レベルが上記第３の電圧レベル以上であるときに、上記監視カメラに異常が生じていると判断するものである。
【００２４】
なお、ここで言う上記第３の基準レベルとは、上記請求項２に記載の発明における第２の基準レベルと同様のものである。
【００２５】
即ち、本請求項６に記載の発明も、上記請求項５に記載の発明の監視カメラシステムと同様に、第１及び第２の各検出信号の各電圧レベルの差を求め、この差の絶対値が所定の値以上のときに監視カメラ及び第２の検出部のいずれかに異常が生じていると判断するものである。ただし、本来、異常の有無を知りたいのは、監視カメラについてのみであって、第２の検出部についての異常の有無は、監視上、あまり問題にはならない。そこで、本請求項６に記載の発明のように、上記各電圧レベルの差の絶対値が所定の値以上であり、かつ、第２の検出信号の電圧レベルが第３の電圧レベル以上であるときにのみ、監視カメラに異常が生じているものと判断すれば、第２の検出部の異常を無視（排除）できる。
【００２６】
【発明の実施の形態】
本発明に係る監視カメラシステムの第１の実施の形態について、図１を参照して説明する。
【００２７】
図１に本第１の実施の形態の概略を示す。同図（ａ）に示すように、本第１の実施の形態では、監視カメラ１の他に、光量センサ２を備えている。監視カメラ１は、例えば一般に知られているＣＣＤ（電荷結合素子）を用いたもので、その監視対象エリア側にレンズ１ａを向けた状態で、取付具１ｂを介して天井３に固定されている。一方、光量センサ２は、監視カメラ１の監視対象エリアの明るさ（光量）を検出するためのもので、例えばホト・ダイオード等の光−電気変換素子を内蔵しており、天井３の監視カメラ１が取り付けられている場所から少し離れた場所に固定されている。
【００２８】
上記監視カメラ１から出力される映像信号は、同図（ｂ）に示すように、例えば監視室内にある輝度検出部４に入力される。輝度検出部４は、上記映像信号の電圧レベル、即ち輝度レベルを検出し、この検出して得たレベルの単位時間当たりの平均値に比例する正の直流電圧ＶC を有する輝度検出信号を生成し、これを後述する判断部５に入力する。この輝度検出部４が、特許請求の範囲に記載の第１の検出部に対応し、輝度検出信号ＶC が、特許請求の範囲に記載の第１の検出信号に対応する。なお、上記映像信号は、図示しないモニタテレビ等にも入力され、そのモニタ映像により、監視カメラ１で捉えた映像を確認できる。
【００２９】
一方、光量センサ２の出力信号は、上記監視室内にある光量検出部６に入力される。光量検出部６は、上記光量センサ２の出力信号の電圧レベルを検出し、この検出して得たレベルの単位時間当たりの平均値に比例する正の直流電圧ＶS を有する光量検出信号を生成し、これを上記判断部５に入力する。この光量検出部６と上記光量センサ２とが、特許請求の範囲に記載の第２の検出部に対応し、光量検出信号ＶS が、特許請求の範囲に記載の第２の検出信号に対応する。
【００３０】
なお、上記輝度検出部４及び光量検出部６は、監視カメラ１及び光量センサ２がそれぞれ同じ明るさの環境下にあるとき、上記輝度検出信号ＶC 及び光量検出信号ＶS として、それぞれ略同じ電圧レベルの直流電圧を生成して出力する。
【００３１】
ところで、判断部５は、同図（ｃ）に示すような構成とされている。即ち、２つの片電源コンパレータ回路（ＯＰアンプ回路）５１、５２を備えており、このうちの一方５１の陽極側入力端子（＋）に上記輝度検出信号ＶC が入力され、他方５２の陽極入力端子に光量検出信号ＶS が入力されている。そして、これら各コンパレータ回路５１、５２の各陰極側入力端子（−）には、それぞれ正の直流電圧ＶRC、ＶRSを生成する基準電圧生成回路５３、５４が接地電位との間に接続されている。これら各直流電圧、所謂基準電圧ＶRC、ＶRSが、それぞれ特許請求の範囲に記載の第１及び第２の各基準レベルに対応し、任意に調整可能とされている。なお、ここでは、基準電圧ＶRCについては、監視対象エリア内の照明をＯＮしたときとＯＦＦしたときとの輝度検出信号ＶC の各電圧レベルの略中間程度のレベルに調整している。これと同様に、基準電圧ＶRSについても、監視対象エリア内の照明をＯＮしたときとＯＦＦしたときとの光量検出信号ＶS の各電圧レベルの略中間程度のレベルに調整している。
【００３２】
上記コンパレータ回路５１の出力端子は、ＮＯＲ回路５５の入力端子に接続されており、一方のコンパレータ回路５２の出力端子は、ＮＯＴ回路５６を介して、上記ＮＯＲ回路５５の別の入力端子に接続されている。そして、このＮＯＲ回路５５の出力端子は、例えばベルやブザー構成の警報器７と、発光ダイオード（ＬＥＤ）や液晶パネル（ＬＣＤ）構成の表示部８に接続されている。これら警報器７及び表示部８は、ＮＯＲ回路５５の出力がＨレベルになったときにのみ、警報を発すると共に警告表示を行う。
【００３３】
上記のような構成において、例えば、今、監視対象エリア内の照明がＯＮされており、監視カメラ１及び光量センサ２共に、正常な状態、即ち布等で覆われていない状態にあるとする。この状態においては、輝度検出信号ＶC 及び光量検出信号ＶS の各電圧レベルが、共に、上記基準電圧ＶRC及びＶRS以上であるので、上記ＮＯＲ回路５５の出力は、Ｌレベルとなる。
【００３４】
ここで、監視カメラ１のみが布等で覆われたとする。この場合、輝度検出信号ＶC の電圧レベルが、その基準電圧ＶRCよりも小さくなるので、ＮＯＲ回路５５の出力がＨレベルとなって、警報器７が警報を発すると共に、表示部８に警告表示が成される。従って、この警報及び警告表示により、監視者側は、監視カメラ１が布等で覆われたことを即座に検知することができる。よって、このような異常事態に迅速に対応できる。
【００３５】
一方、光量センサ２のみが布等で覆われた場合には、光量検出信号ＶS の電圧レベルが、その基準電圧ＶRSよりも小さくなる。しかし、この場合、上記輝度検出信号ＶC の電圧レベルが基準電圧ＶRC以上である限り、ＮＯＲ回路５５の出力はＨレベルにはならないので、上記警報が発せられたり、警告表示が成されることはない。即ち、本第１の実施の形態で異常の有無を知りたいのは、監視カメラ１についてであって、光量センサ２が布等で覆われる等しても、監視上、あまり問題にはならない。また、犯罪行為においては、光量センサ２のみが布等で覆われるようなことは考え難い。よって、本第１の実施の形態では、光量センサ２のみが布等で覆われたときには、異常事態と見なさないようにしている。
【００３６】
そして、監視対象エリア内の照明がＯＦＦされた場合には、輝度検出信号ＶC 及び光量検出信号ＶS の各電圧レベル共に、それぞれの基準電圧ＶRC、ＶRSよりも小さくなる。従って、この場合にも、ＮＯＲ回路５５の出力は、Ｈレベルとならず、警報が発せられたり、警告表示が成されることはない。よって、上述したモーション・デテクタ技術を利用した監視カメラシステムとは異なり、監視カメラ１に異常が生じたとか、或いは監視対象エリア内の照明がＯＦＦされたのかを、確実に認識できる。
【００３７】
このように、本第１の実施の形態によれば、監視カメラ１から得られる映像信号を基に生成された輝度検出信号ＶC と、監視カメラ１とは離れた場所に設けられた光量センサ２から得られる光量検出信号ＶS の各電圧レベルを比較対照することにより、監視カメラ１の異常の有無を判断する。従って、監視カメラ１が布等で覆われたときに、これを即座に認識することができ、このような犯行手口に対して迅速な対応を取ることができる。また、監視カメラ１の出力ケーブルが切断された場合にも、監視カメラ１を布等で覆ったのと同様な状況となるので、このような事態にも対応できる。
【００３８】
なお、本第１の実施の形態では、監視カメラ１及び光量センサ２を天井３に取り付けたが、このうちの一方または両方を壁面等の他の場所に取り付けてもよい。また、判断部５内において、輝度検出信号ＶC 及び光量検出信号ＶS をそれぞれ電圧という形態で処理したが、電流等の他の形態に基づいて処理してもよい。そして、判断部５を純粋なハードウェア構成としたが、例えば上記輝度検出信号ＶC 及び光量検出信号ＶS をそれぞれディジタルデータに変換し、この変換して得たデータをＣＰＵ等によりソフトウェア的に処理することにより、本第１の実施の形態と同様の作用及び効果を奏するよう構成してもよい。
【００３９】
図２は、本発明の第２の実施の形態を示す図で、上記第１の実施の形態における判断部５のみを変更したものである。なお、他の部分については、省略している。
【００４０】
同図に示すように、本第２の実施の形態では、判断部５内に１つの片電源コンパレータ回路８のみを設けている。そして、このコンパレータ回路９の陰極側入力端子に輝度検出信号ＶC を入力し、陽極側入力端子に光量検出信号ＶS を入力する。そして、このコンパレータ回路９の出力端子を、上述した警報器７及び表示部８にそれぞれ接続する。
【００４１】
この構成によれば、輝度検出信号ＶC の電圧レベルが、光量検出信号ＶS の電圧レベルよりも低いとき（即ちＶC ＜ＶS のとき）にのみ、判断部５の出力がＨレベルとなって、警報器７から警報が発せられると共に、表示部８により警告表示が成され、即ち、上記第１の実施の形態と同様の作用及び効果を奏する。
【００４２】
なお、同図に点線の矢印で示すように、輝度検出信号ＶC に所定の直流電圧ΔＶを加算して、この加算して得た電圧〔ＶC ＋ΔＶ〕と光量検出信号ＶS との各電圧レベルを比較してもよい。このようにすれば、輝度検出信号ＶC の電圧レベルが、布等で覆われる以外の何らかの原因により光量検出信号ＶS の電圧レベルよりも低くなったとしても、その低下分が上記直流電圧ΔＶよりも小さい場合には、判断部５の出力はＨレベルに維持され、即ち、上記何らかの原因により、監視カメラ１に異常が生じたと誤認識する傾向を抑制できる。なお、上記所定の直流電圧ΔＶが、特許請求の範囲に記載の所定のレベルに対応する。
【００４３】
図３は、本発明の第３の実施の形態を示す図で、これも、上記判断部５のみを変更したものである。
【００４４】
同図に示すように、本３の実施の形態では、判断部５内に差分回路１０１を設け、この差分回路８１により輝度検出信号ＶC と光量検出信号ＶS との各電圧レベルの差分〔ＶC −ＶS 〕を求める。この差分回路１０１は、一般に知られている差動増幅器等により構成できる。
【００４５】
そして、上記差分回路１０１で求めた差分〔ＶC −ＶS 〕を絶対値回路（全波整流回路）１０２により絶対値〔｜ＶC −ＶS ｜〕に変換し、この絶対値〔｜ＶC −ＶS ｜〕を片電源コンパレータ回路１０３の陽極側入力端子に入力する。このコンパレータ回路１０３の陰極側入力端子には、正の直流電圧ＶR を生成する基準電圧生成回路１０４が接地電位との間に接続されている。この直流電圧ＶR が、特許請求の範囲に記載の所定の値に対応し、任意に調整可能とされている。なお、ここでは、直流電圧ＶR を、上記差分の絶対値〔｜ＶC −ＶS ｜〕が監視カメラ１または光量センサ２の異常によるものと見なせるか否かの目安となる程度の電圧値とする。そして、コンパレータ回路１０３の出力端子を、警報器７及び表示部８にそれぞれ接続する。
【００４６】
この構成によれば、輝度検出信号ＶC 及び光量検出信号ＶS の各電圧レベルの差分の絶対値〔｜ＶC −ＶS ｜〕が、上記直流電圧ＶR 以上であるとき（即ち｜ＶC −ＶS ｜≦ＶR のとき）にのみ、判断部５の出力がＨレベルとなって、警報器７から警報が発せられると共に、表示部８により警告表示が成される。更に、監視カメラ１または光量センサ２に強烈な光が照射され、これによって上記差分の絶対値〔｜ＶC −ＶS ｜〕が上記直流電圧ＶR 以上となったときにも、警報が発せられると共に警告表示が成される。よって、監視カメラ１または光量センサ２が布等で覆われるという異常事態以外に、これらに強烈な光が照射されるというような異常事態にも十分に対応できる。
【００４７】
図４は、本発明の第４の実施の形態を示す図である。同図に示すように、これは、上記図３に示す第３の実施の形態の判断部５に対して、上記図１（ｃ）に示す第１の実施の形態の判断部５におけるコンパレータ５２回路及び基準電圧生成回路５４と同様の回路１０５、１０６を付加したものである。そして、２つのコンパレータ回路１０３、１０５の出力を、ＡＮＤ回路１０７により論理積演算し、このＡＮＤ回路１０７の出力端子を、警報器７及び表示部８にそれぞれ接続したものである。なお、上記基準電圧生成回路５４と同様の回路１０６の基準電圧ＶRSが、特許請求の範囲に記載の第３の基準レベルに対応する。
【００４８】
この構成によれば、上記差分の絶対値〔｜ＶC −ＶS ｜〕が、上記直流電圧ＶR 以上であるとしても、光量検出信号ＶS の電圧レベルが基準電圧ＶRSよりも小さい場合には、即ち、上記差分の絶対値〔｜ＶC −ＶS ｜〕が直流電圧ＶR 以上となった原因が光量センサ２の異常によるものである場合には、上記ＡＮＤ回路１０７の出力はＨレベルにならない。よって、本第４の実施の形態によれば、光量センサ２のみの異常により、警報が発生されたり警告表示が成されることはない。
【００４９】
【発明の効果】
以上のように、本発明によれば、監視カメラから得られる映像信号を基に監視対象エリア内の明るさを検出すると共に、監視カメラから離れた位置にある第２の検出部により別個に監視対象エリアの明るさを検出する。そして、それぞれで検出して得た各明るさレベルを比較対照することにより、監視カメラ等に異常が生じていないかどうかや、監視対象エリア内の照明のＯＮ／ＯＦＦ等を、自動的に判断する。従って、上述した各従来技術とは異なり、監視カメラを布等で覆う等という巧妙な犯行手口に対して、迅速かつ確実な対応を取ることができる。そして、このような信頼性の高いシステムを、比較的に簡単かつ安価な構成で実現できるという効果がある。
【図面の簡単な説明】
【図１】本発明の第１の実施の形態を示す図で、（ａ）は、監視カメラと光量センサとの取付状況を示す図、（ｂ）は、システム全体の概略構成を示すブロック図、（ｃ）は、（ｂ）における判断部の詳細な構成を示す電気回路図である。
【図２】本発明の第２の実施の形態を示す図で、上記判断部の別の実現例を示す図である。
【図３】本発明の第３の実施の形態を示す図で、上記判断部の図１及び図２とは別の実現例を示す図である。
【図４】本発明の第４の実施の形態を示す図で、上記判断部の図１、図２及び図３とは別の実現例を示す図である。
【符号の説明】
１  監視カメラ
２  光量センサ
４  輝度検出部
５  判断部
６  光量検出部
【図１】
0003764294.tif 000002
【図２】
0003764294.tif 000003
【図３】
0003764294.tif 000004
【図４】
0003764294.tif 000005